(57)【要約】【課題】画像を表示する表示部を点灯させることなく認証の有効化と解除を行うことのできる画像表示装置を得る。【解決手段】制御部１２０は、表示部１５０が画像を表示していないときに、操作信号処理部１１２より所定のロック設定情報に対応したロック設定操作信号を受け取ると、操作入力を受け付けない旨のロック状態をロック状態情報に記録し、操作信号処理部１１２より所定のロック解除情報に対応したロック解除操作信号を受け取ると、操作入力を受け付ける旨のロック状態をロック状態情報に記録し、操作入力を受け付けない旨のロック状態がロック状態情報に記録されているときは、操作信号処理部１１２よりロック解除操作信号以外の操作信号を受け取ってもその操作信号に対応した制御動作を実行しない。【選択図】図１
2009251264.tif 000002
【特許請求の範囲】
【請求項１】
入力画像信号に基づき出力画像信号を生成する画像信号処理部と、
前記出力画像信号に基づき画像を表示する表示部と、
前記画像信号処理部の動作を制御する制御部と、
操作入力を受け付けるか否かのロック状態を表すロック状態情報を格納する記憶部と、
操作内容に対応した操作信号を前記制御部に出力する操作信号処理部と、
を備え、
前記制御部は、
前記表示部が画像を表示していないときに、
前記操作信号処理部より所定のロック設定情報に対応したロック設定操作信号を受け取ると、操作入力を受け付けない旨のロック状態を前記ロック状態情報に記録し、
前記操作信号処理部より所定のロック解除情報に対応したロック解除操作信号を受け取ると、操作入力を受け付ける旨のロック状態を前記ロック状態情報に記録し、
操作入力を受け付けない旨のロック状態が前記ロック状態情報に記録されているときは、
前記操作信号処理部より前記ロック解除操作信号以外の操作信号を受け取ってもその操作信号に対応した制御動作を実行しない
ことを特徴とする画像表示装置。
【請求項２】
前記制御部の指示に基づき前記ロック状態情報の内容を報知する報知部を備え、
前記制御部は、
前記表示部が画像を表示していないときに、
前記操作信号処理部より前記ロック状態情報の内容を報知すべき旨の操作信号を受け取ると、
前記ロック状態情報の内容を問わず、その内容を取得して前記報知部にその内容を報知させる
ことを特徴とする請求項１記載の画像表示装置。
【請求項３】
前記制御部は、
前記表示部が画像を表示していないときに、
前記操作信号処理部より前記ロック設定情報または前記ロック解除情報の入力を開始する旨の操作信号を受け取ると、
前記報知部にその旨を報知させる
ことを特徴とする請求項２記載の画像表示装置。
【請求項４】
前記制御部は、
前記表示部が画像を表示していないときに、
前記操作信号処理部より前記ロック設定情報または前記ロック解除情報の入力を開始する旨の操作信号を受け取ると、
前記報知部に所定時間その旨を報知させた後、その報知を停止させる
ことを特徴とする請求項２記載の画像表示装置。
【請求項５】
前記表示部として、
前記出力画像信号に基づき画像を投射する投射部を備えた
ことを特徴とする請求項１ないし請求項４のいずれかに記載の画像表示装置。
【請求項６】
入力画像信号に基づき出力画像信号を生成する画像信号処理部と、
前記出力画像信号に基づき画像を表示する表示部と、
操作入力を受け付けるか否かのロック状態を表すロック状態情報を格納する記憶部と、
を備える画像表示装置を制御する方法であって、
前記表示部が画像を表示していないときに、
所定のロック設定情報に対応したロック設定操作信号を受け取ると、操作入力を受け付けない旨のロック状態を前記ロック状態情報に記録し、
所定のロック解除情報に対応したロック解除操作信号を受け取ると、操作入力を受け付ける旨のロック状態を前記ロック状態情報に記録し、
操作入力を受け付けない旨のロック状態が前記ロック状態情報に記録されているときは、
前記ロック解除操作信号以外の操作信号を受け取ってもその操作信号に対応した制御動作を実行しない
ことを特徴とする画像表示装置の制御方法。
【発明の詳細な説明】
【技術分野】
【０００１】
本発明は、画像表示装置とその制御方法に関するものである。
【背景技術】
【０００２】
従来、投射装置に関し、特許文献１に、「電源投入の際に所定の認証処理を条件にランプ部に電源投入することにより、ランプ部の電源投入に対するセキュリティを持たせた投射装置を提供する。」ことを目的とした技術として、「電源部２９からの電源を選択的に供給するスイッチ部３２−２と、投射光を発光しこれを照射するランプ部３０，３１と、複数の操作スイッチをもつ操作部２３と、外部から与えられた映像信号に応じる映像を表示部に表示し、ランプ部からの投射光を表示部に透過させることで、映像が含まれる投射光を外部に投射する投射部３１，１６と、操作部である電源スイッチＫ１の押下を検出し操作部の所定の操作スイッチが予め記憶された所定手順で操作されたことを検出した時、スイッチ部が電源をランプ部に供給するべく制御する制御部２７，３２をもつ投射装置である。」というものが提案されている（要約）。
【０００３】
【特許文献１】特開２００５−３３８６０４号公報
【発明の開示】
【発明が解決しようとする課題】
【０００４】
プロジェクタやモニタには、不正使用防止のため、使用時に暗証番号の入力を要求して認証を行うものがある。
しかし、暗証番号の入力画面を表示してユーザに提示する必要があるので、そのために表示部を点灯することになり、電力をその分余計に消費するとともに、表示部の消耗を促進することになってしまう。
【０００５】
この点、上記特許文献１に記載の技術では、電源ＯＮ時に認証することでランプ点灯前に認証を行うことができるが、認証を解除したままの状態で誤って電源をＯＦＦにしてしまうと、認証を有効化するために再度電源ＯＮしなければならない。
【０００６】
本発明は、上記のような課題を解決するためになされたものであり、画像を表示する表示部を点灯させることなく認証の有効化と解除を行うことのできる画像表示装置を得ることを目的とする。
【課題を解決するための手段】
【０００７】
本発明に係る画像表示装置は、入力画像信号に基づき出力画像信号を生成する画像信号処理部と、前記出力画像信号に基づき画像を表示する表示部と、前記画像信号処理部の動作を制御する制御部と、操作入力を受け付けるか否かのロック状態を表すロック状態情報を格納する記憶部と、操作内容に対応した操作信号を前記制御部に出力する操作信号処理部と、を備え、前記制御部は、前記表示部が画像を表示していないときに、前記操作信号処理部より所定のロック設定情報に対応したロック設定操作信号を受け取ると、操作入力を受け付けない旨のロック状態を前記ロック状態情報に記録し、前記操作信号処理部より所定のロック解除情報に対応したロック解除操作信号を受け取ると、操作入力を受け付ける旨のロック状態を前記ロック状態情報に記録し、操作入力を受け付けない旨のロック状態が前記ロック状態情報に記録されているときは、前記操作信号処理部より前記ロック解除操作信号以外の操作信号を受け取ってもその操作信号に対応した制御動作を実行しない。
そのため、表示部が画像表示を行っていないときでも、画像表示装置をロックし、またはロックを解除することができるので、表示部の点灯により電力を消費したり表示部を消耗させたりすることなく上記操作が可能となる。
【０００８】
また、本発明に係る画像表示装置は、前記制御部の指示に基づき前記ロック状態情報の内容を報知する報知部を備え、前記制御部は、前記表示部が画像を表示していないときに、前記操作信号処理部より前記ロック状態情報の内容を報知すべき旨の操作信号を受け取ると、前記ロック状態情報の内容を問わず、その内容を取得して前記報知部にその内容を報知させる。
そのため、表示部が画像表示を行っていないときでも、ユーザは報知部の出力により画像表示装置がロックされているか否かを確認することができる。
【０００９】
また、本発明に係る画像表示装置において、前記制御部は、前記表示部が画像を表示していないときに、前記操作信号処理部より前記ロック設定情報または前記ロック解除情報の入力を開始する旨の操作信号を受け取ると、前記報知部にその旨を報知させる。
そのため、表示部が画像表示を行っていないときでも、ユーザは報知部の出力によりロック設定操作やロック解除操作の進行状況を把握することができる。
【００１０】
また、本発明に係る画像表示装置において、前記制御部は、前記表示部が画像を表示していないときに、前記操作信号処理部より前記ロック設定情報または前記ロック解除情報の入力を開始する旨の操作信号を受け取ると、前記報知部に所定時間その旨を報知させた後、その報知を停止させる。
そのため、ユーザが報知部の出力によりロック設定操作やロック解除操作の進行状況を把握するために必要十分な情報を与えるとともに、冗長な報知を行わないようにすることができる。
【００１１】
また、本発明に係る画像表示装置は、前記表示部として、前記出力画像信号に基づき画像を投射する投射部を備えた。
そのため、本発明に係る画像表示装置を、上記と同様の機能を備えたプロジェクタとして使用することができる。
【００１２】
また、本発明に係る画像表示装置の制御方法は、入力画像信号に基づき出力画像信号を生成する画像信号処理部と、前記出力画像信号に基づき画像を表示する表示部と、操作入力を受け付けるか否かのロック状態を表すロック状態情報を格納する記憶部と、を備える画像表示装置を制御する方法であって、前記表示部が画像を表示していないときに、所定のロック設定情報に対応したロック設定操作信号を受け取ると、操作入力を受け付けない旨のロック状態を前記ロック状態情報に記録し、所定のロック解除情報に対応したロック解除操作信号を受け取ると、操作入力を受け付ける旨のロック状態を前記ロック状態情報に記録し、操作入力を受け付けない旨のロック状態が前記ロック状態情報に記録されているときは、前記ロック解除操作信号以外の操作信号を受け取ってもその操作信号に対応した制御動作を実行しない。
そのため、表示部が画像表示を行っていないときでも、画像表示装置をロックし、またはロックを解除することができるように、画像表示装置を制御することができる。これにより、上記と同様の効果を発揮することができる。
【発明を実施するための最良の形態】
【００１３】
実施の形態１．
図１は、本発明の実施の形態１に係る画像表示装置１００の機能ブロック図である。
画像表示装置１００は、入力画像信号に対応した画像を表示する装置であり、操作パネル１１１、操作信号処理部１１２、制御部１２０、画像信号処理部１３０、記憶部１４０、表示部１５０を備える。
【００１４】
操作パネル１１１は、画像表示装置１００の本体筐体の外面に設けられ、ユーザの操作情報を受け付けるためのものである。
ユーザが操作パネル１１１に配置されたキーを押下等すると、それに対応した操作信号が操作信号処理部１１２に出力される。
操作信号処理部１１２は、操作パネル１１１が出力した操作信号を受け取り、デジタル信号に変換するなどの処理を施して、制御部１２０に出力する。
【００１５】
制御部１２０は、画像信号処理部１３０の動作を制御する。
また、記憶部１４０に後述のロック状態情報を格納し、または記憶部１４０に格納されているロック状態情報を読み取り、そのロック状態情報に記載されている情報に基づき、操作信号処理部１１２からの操作信号を受け付けるか否かを判定する。
制御部１２０は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００１６】
画像信号処理部１３０は、画像表示装置１００の外部から入力される入力画像信号に対応した画像データを１フレーム（１画面）毎にフレームメモリ（図示せず）に記憶させるとともに、フレームメモリに記憶された画像データを読み出す機能を有し、入力画像信号と制御部１２０の指示に基づいてデジタルの出力画像信号を生成して表示部１５０に出力する。
画像信号処理部１３０は、マイクロプロセッサ等により構成され、内蔵したプログラムを実行することにより、上記の処理を行う。
【００１７】
記憶部１４０は、後述するロック設定情報とロック状態情報を格納する。これらの情報の形式は、制御部１２０が解釈できるものであれば、任意のものでよい。例えば、テキスト形式のような標準的な形式であれば、処理の上で便宜である。
記憶部１４０は、ＨＤＤ（Ｈａｒｄ  Ｄｉｓｋ  Ｄｒｉｖｅ）やフラッシュＲＯＭ（Ｒｅａｄ  Ｏｎｌｙ  Ｍｅｍｏｒｙ）のような書き込み可能な記憶装置で構成することができる。
【００１８】
表示部１５０は、例えば液晶ディスプレイ装置などで構成され、画像信号処理部１３０より出力画像信号を受け取り、その画像を画面表示するものである。
【００１９】
図２は、画像表示装置１００の外観図である。
表示部１５０の下部には、表示部１５０を支持する台座が備えられており、この台座の内部または表面に操作パネル１１１、操作信号処理部１１２、制御部１２０、画像信号処理部１３０および記憶部１４０が備えられている。
【００２０】
以上、本実施の形態１に係る画像表示装置１００の構成を説明した。
次に、画像表示装置１００をロックすることについて一般的な事項を説明し、その後に本実施の形態１に係る画像表示装置１００をロックしまたはロックを解除するための動作を説明する。
【００２１】
画像表示装置１００の不正使用を防止するためには、画像表示装置１００の動作を禁止し、許可された場合のみ動作することができるようにする必要がある。
例えば、画像表示装置１００を公的施設で貸し出すような場合には、貸し出しを許可された者のみが画像表示装置１００を使用することができるようにする必要がある。そのため、画像表示装置１００の管理者は、画像表示装置１００の使用を許可するか否かを画像表示装置１００内に設定することができなければならない。
【００２２】
上述の、画像表示装置１００の動作を禁止することを、「ロックする」という。
具体的には、操作入力を受け取っても、これに対応した動作を実行せず、操作入力を受け付けない状態に画像表示装置１００を設定することを指す。
画像表示装置１００をロックする際には、画像表示装置１００をロックするためのロック設定情報（例えばパスワードなど）を、管理者が操作パネル１１１から入力する。
なお、実施の形態１では、ロック設定情報とロック解除情報が同じであるものとする。
【００２３】
ユーザが画像表示装置１００を使用するためには、ロックを解除するためのロック解除情報を操作パネル１１１から入力しなければならない。
操作入力を受け付けない状態であれば、許可を受けていない者が画像表示装置１００を不正使用することはできず、上記の管理目的を達成することができる。
【００２４】
ここで、操作パネル１１１からロック設定情報やロック解除情報を入力する際の表示部１５０の点灯状態について考える。
表示部１５０が消灯して画像表示を行っていないときに、管理者がロック設定情報を入力し、またはユーザがロック解除情報を入力しようとした場合、表示部１５０を点灯して入力画面を表示させるのが一般的である。
【００２５】
なお、表示部１５０が消灯して画像表示を行っていないときとは、例えば画像表示装置１００が所定時間操作されず放置された際に、節電のため制御部１２０が自動的に表示部１５０を消灯するような場合が挙げられる。
【００２６】
表示部１５０が消灯しているときに、ロック設定情報やロック解除情報を入力することのみを目的として表示部１５０を点灯させるのは、消費電力や表示部１５０の消耗の観点からあまり好ましくない。
そこで、表示部１５０が消灯したままでロックやその解除を行うことを考える。
上記動作を行うための画像表示装置１００の各部動作について、次のステップ（１）〜（１４）で一動作例を説明する。
【００２７】
（１）画像表示装置１００の管理者は、表示部１５０が消灯しているときに、操作パネル１１１を操作して、これからロック設定情報を入力することを画像表示装置１００に通知する。その旨の操作信号が操作信号処理部１１２を介して制御部１２０に出力される。
【００２８】
（２）画像表示装置１００の管理者は、操作パネル１１１を操作して、ロック設定情報を入力する。これに対応した操作信号（ロック設定操作信号）が操作信号処理部１１２を介して制御部１２０に出力される。
【００２９】
（３）制御部１２０は、操作信号処理部１１２を介して受け取ったロック設定情報が、記憶部１４０にあらかじめ格納されているロック設定情報と一致するか否かを確認する。
両者が一致すれば、制御部１２０は、記憶部１４０に、画像表示装置１００が現在ロックされている旨を記録したロック状態情報を格納する。
【００３０】
（４）以上のステップ（１）〜（３）の間、表示部１５０は消灯したままである。即ち、管理者は、表示部１５０を点灯することなく画像表示装置１００をロック状態に設定することができる。
【００３１】
（５）画像表示装置１００のユーザは、表示部１５０が消灯しているときに、操作パネル１１１を操作して、画像表示装置１００を使用することを試みる。ユーザの操作内容に対応した操作信号が操作信号処理部１１２を介して制御部１２０に出力される。
【００３２】
（６）制御部１２０は、操作信号処理部１１２より操作信号を受け取ると、記憶部１４０が格納しているロック状態情報を取得する。ここでは、画像表示装置１００がロックされている旨がロック状態情報に記録されている。
【００３３】
（７）制御部１２０は、操作信号処理部１１２より受け取った操作信号を破棄する。
（８）ユーザは、画像表示装置１００が操作内容に対応した動作を実行しないことから、画像表示装置１００がロックされていることを知る。
【００３４】
（９）ユーザは、操作パネル１１１を操作して、ロック解除情報（例えばパスワードなど）を入力する。これに対応した操作信号（ロック解除操作信号）が操作信号処理部１１２を介して制御部１２０に出力される。
（１０）制御部１２０は、操作信号処理部１１２を介して受け取ったロック解除情報を、ステップ（３）で記憶部１４０に格納したロック設定情報と比較する。ここでは、両者が一致したものとして以下の説明を行う。
【００３５】
（１１）制御部１２０は、画像表示装置１００が現在ロックされていない旨をロック状態情報に記録する。
（１２）以上のステップ（５）〜（１１）の間、表示部１５０は消灯したままである。即ち、ユーザは、表示部１５０を点灯することなく画像表示装置１００のロックを解除することができる。
（１３）制御部１２０は、表示部１５０を点灯させ、画像の表示を再開させる。
（１４）ユーザは、操作パネル１１１を操作して、画像表示装置１００を操作する。
【００３６】
以上、表示部１５０を消灯したまま、画像表示装置１００をロックし、またはロックを解除する際の各部の動作について説明した。
なお、ロック設定情報とロック解除情報の関係について、上記ステップ（１）〜（１４）では一構成例を説明したが、以下に示すような構成例も考えられる。
【００３７】
（例１）ロック設定情報とロック解除情報を個別に記憶部１４０へ格納しておく場合
記憶部１４０に、規定のロック設定情報とロック解除情報を個別にあらかじめ格納しておく。両者は一致していなくともよい。
管理者が画像表示装置１００をロックする際には、上記規定のロック設定情報と一致するロック設定情報を操作パネル１１１から入力する。同様に、ユーザが画像表示装置１００のロックを解除する際には、上記規定のロック解除情報と一致するロック解除情報を操作パネル１１１から入力する。
【００３８】
（例２）ロック設定情報のみ記憶部１４０へ格納しておく場合
この例は、上記ステップ（１）〜（１４）と同様の構成例である。
記憶部１４０に、規定のロック設定情報をあらかじめ格納しておく。
管理者が画像表示装置１００をロックする際には、上記規定のロック設定情報と一致するロック設定情報を操作パネル１１１から入力する。ユーザが画像表示装置１００のロックを解除する際には、上記規定のロック設定情報と一致するロック解除情報を操作パネル１１１から入力する。
【００３９】
（例３）ロック解除情報のみ記憶部１４０へ格納しておく場合
記憶部１４０に、規定のロック解除情報をあらかじめ格納しておく。この例の場合、画像表示装置１００のロックは任意のユーザが自由に行うことができる。
ユーザが画像表示装置１００のロックを解除する際には、上記規定のロック解除情報と一致するロック解除情報を操作パネル１１１から入力する。即ち、上記規定のロック解除情報の提示を受けた者のみが、画像表示装置１００のロックを解除することができる。
【００４０】
（例４）ロック設定情報とロック解除情報ともに空にしておく場合
記憶部１４０には、規定のロック設定情報とロック解除情報ともに格納しておかないようにする。
画像表示装置１００をロックする際は、任意のユーザが任意に定めたロック設定情報を操作パネル１１１より入力する。ロックを解除する際は、そのロック設定情報と合致するロック解除情報を操作パネル１１１より入力する。
【００４１】
以上のように、本実施の形態１に係る画像表示装置１００は、表示部１５０が消灯している状態でも、ロック設定情報の入力を受け取って以後の操作入力を受け付けないようロックすることができる。同様に、表示部１５０が消灯している状態でも、ロック解除情報の入力を受け取ってロックを解除することができる。
これにより、表示部１５０を点灯させて電力を消費したり消耗させたりすることなく、画像表示装置１００のロックやその解除を行うことができる。
【００４２】
実施の形態２．
実施の形態１では、画像表示装置１００が所定時間操作されず放置された際に、節電のため制御部１２０が自動的に表示部１５０を消灯し、この状態のままでロックやその解除をすることのできる構成と動作例を説明した。
表示部１５０が消灯するのは、その他にも画像表示装置１００がスタンバイモードに入ったときが考えられる。スタンバイモードとは、画像表示装置１００の主要機能（表示部１５０を含む）を停止して、ごく一部の機能、例えば時刻表示や通常モードへの復帰処理などの限られた動作のみを実行することができる状態のことである。
本発明の実施の形態２では、スタンバイモードでロックやその解除をすることのできる構成と動作例を説明する。
【００４３】
画像表示装置１００がスタンバイモードに入ったときにも一部の機能の実行ができるようにするためには、例えば以下の（１）〜（２）のいずれかに記載するような構成を用いる必要がある。
【００４４】
（１）画像表示装置１００をスタンバイモードに移行させる際に、制御部１２０の機能を一部のみ残して停止させる。スタンバイモード動作時は、制御部１２０のうち上述の一部のみ稼動している部分が、必要な機能を実行する。
【００４５】
（２）スタンバイモード専用の副制御部をあらかじめ設けておく。画像表示装置１００をスタンバイモードに移行させる際に、制御部１２０の機能を全て停止させ、以後の処理を副制御部に引き継ぐ。
スタンバイモード動作時は、副制御部が、必要な機能を実行する。副制御部は、制御部１２０の動作の一部のみを実行するため、小型かつ低消費電力の演算装置や回路デバイス等を用いて構成することができる。
【００４６】
上記（１）〜（２）いずれの場合でも、スタンバイモード時に画像表示装置１００のロックやその解除を行う際の動作手順は、実施の形態１で説明したものと同様である。
即ち、上記（１）の場合は、制御部１２０のうちスタンバイモード動作時に稼動している部分が、実施の形態１で説明した動作を実行する。上記（２）の場合は、副制御部が実施の形態１で説明した動作を実行する。
【００４７】
以上、本実施の形態２では、表示部１５０が画像の表示を行っていない場合の例としてスタンバイモードを例示し、スタンバイモード動作時に画像表示装置１００のロックやその解除を行うための構成と動作を説明した。
【００４８】
実施の形態３．
実施の形態１〜２では、表示部１５０が点灯していないときでも、画像表示装置１００のロックやその解除を行うことができる構成と動作を説明した。
一方、これらの動作に加えて、画像表示装置１００が現在ロックされているか否かや、ロック設定操作／ロック解除操作の進行状況を、表示部１５０によらず確認することができれば、ユーザにとって便宜である。
そこで本発明の実施の形態３では、上記機能を提供するための構成と動作を説明する。
【００４９】
図３は、本実施の形態３に係る画像表示装置１００の機能ブロック図である。
本実施の形態３に係る画像表示装置１００は、実施の形態１の図１〜図２で説明した構成に加え、新たに報知部１６０を備える。その他の構成や動作は、実施の形態１〜２で説明したものと概ね同様であるため、以下では差異点を中心に説明する。
【００５０】
報知部１６０は、ＬＥＤ（Ｌｉｇｈｔ  Ｅｍｉｔｔｉｎｇ  Ｄｉｏｄｅ）で構成され、制御部１２０の指示に基づき、次の図４〜図５の動作フローで説明するように、記憶部１４０が格納しているロック状態情報の内容や、ロック設定操作／ロック解除操作の進行状況を報知する。
【００５１】
操作パネル１１１は、ロック状態確認キー、ロックキー、ロック解除キー（いずれも図示せず）を備える。
ロック状態確認キーは、記憶部１４０が格納しているロック状態情報の内容を報知部１６０に報知させるときに押下するキーである。
ロックキーは、画像表示装置１００をロックする際に、ロック設定情報の入力を開始することを画像表示装置１００に通知するためのキーである。
ロック解除キーは、画像表示装置１００のロックを解除する際に、ロック解除情報の入力を開始することを画像表示装置１００に通知するためのキーである。
ロックキーとロック解除キーは、一体的に構成してもよい。即ち、ロック状態のときに押下すればロック解除開始を指示し、非ロック状態のときに押下すればロック開始を指示するためのキーとして構成することもできる。
以下、ユーザが各キーを押下した際の画像表示装置１００の各部動作を説明する。
【００５２】
図４は、ユーザがロック状態確認キーを押下した際の画像表示装置１００の動作フローである。以下、図４の各ステップについて説明する。
【００５３】
（Ｓ４００）
初期状態として、表示部１５０が画像の表示を行っていない状態を想定する。
ユーザがロック状態確認キーを押下すると、本動作フローが開始される。操作パネル１１１は、操作信号処理部１１２を介して、ロック状態確認キーが押下された旨の操作信号を制御部１２０に出力する。
（Ｓ４０１）
制御部１２０は、ロック状態確認キーが押下された旨の操作信号を受け取り、記憶部１２０が格納しているロック状態情報を取得する。
【００５４】
（Ｓ４０２）
制御部１２０は、ロック状態情報の内容を、報知部１６０に報知させる。具体的な報知の手法は、例えば以下のようにすることができる。
（１）画像表示装置１００が現在ロックされている旨が記録されている場合：赤点灯
（２）画像表示装置１００が現在ロックされていない旨が記録されている場合：緑点灯
【００５５】
（Ｓ４０３）
制御部１２０は、報知部１６０が報知を開始してから所定時間（例えば数秒程度）が経過したか否かを判定する。
所定時間が経過していれば報知部１６０の報知を停止して本動作フローを終了し、経過していなければステップＳ４０２へ戻って報知部１６０の報知を継続する。
【００５６】
以上、ユーザがロック状態確認キーを押下した際の画像表示装置１００の動作フローを説明した。図４の動作フローを実行している間、表示部１５０は消灯したままである。
即ち、ユーザは表示部１５０が画像表示を行っていなくても、報知部１６０の出力により、画像表示装置１００が現在ロックされているか否かを把握することができる。
なお、ロック状態確認キーの操作に関しては、画像表示装置１００がロックされているか否かを問わず実行できることを付言しておく。
【００５７】
図５は、ユーザがロック解除キーを押下した際の画像表示装置１００の動作フローである。以下、図５の各ステップについて説明する。
【００５８】
（Ｓ５００）
初期状態として、表示部１５０が画像の表示を行っていない状態を想定する。
ユーザがロック解除キーを押下すると、本動作フローが開始される。操作パネル１１１は、操作信号処理部１１２を介して、ロック解除キーが押下された旨の操作信号を制御部１２０に出力する。
（Ｓ５０１）
制御部１２０は、ロック解除キーが押下された旨の操作信号を受け取り、報知部１６０にその旨を報知させる。ここでの報知は、現在ロック解除操作を行っている旨をユーザに報知することを目的とする。
具体的な報知の手法としては、例えばロック解除操作中は緑色の点滅表示を行う、などが考えられる。
【００５９】
（Ｓ５０２）
制御部１２０は、操作信号処理部１１２が出力する操作信号に基づき、ロック解除情報が操作パネル１１１から入力されたか否かを判定する。入力されていればステップＳ５０３へ進み、入力されていなければステップＳ５０４へ進む。
（Ｓ５０３）
ロック解除情報に対応した操作信号が、操作信号処理部１１２を介して制御部１２０に出力される。
制御部１２０は、受け取ったロック解除情報が記憶部１４０に格納されているものと一致するか否かを判定する。一致すればステップＳ５０６へ進み、一致しなければステップＳ５０５へ進む。
【００６０】
（Ｓ５０４）
制御部１２０は、ロック解除情報が操作パネル１１１から入力されないままの状態で所定時間（例えば数秒程度）が経過したか否かを判定する。経過していればステップＳ５０９へ進み、経過していなければステップＳ５０２へ戻る。
【００６１】
（Ｓ５０５）
制御部１２０は、ロック解除ができない旨のエラー状態を報知部１６０に報知させる。
具体的な報知の手法としては、例えば赤色の点滅表示を行う、などが考えられる。
（Ｓ５０６）
制御部１２０は、記憶部１４０が格納しているロック状態情報に、画像表示装置１００が現在ロックされていない旨を記録する。
【００６２】
（Ｓ５０７）
制御部１２０は、記憶部１４０が格納しているロック状態情報の内容を、報知部１６０に報知させる。具体的な報知の手法は、図４で説明したものと同様でよい。
（Ｓ５０８）
制御部１２０は、報知部１６０に報知を所定時間（例えば数秒程度）継続させる。
（Ｓ５０９）
制御部１２０は、報知部１６０が行っている報知を停止させる。
【００６３】
以上、ユーザがロック解除キーを押下した際の画像表示装置１００の動作フローを説明した。ロックキーを押下した際の動作フローも、ロック設定とロック解除が逆であることを除き、図５と同様である。ロック設定とロック解除で報知部１６０の色を変えてもよい。
【００６４】
図５の動作フローを実行している間、表示部１５０は消灯したままである。
即ち、ユーザは表示部１５０が画像表示を行っていなくても、報知部１６０の出力により、ロック設定やロック解除を行っている際の操作進行状況を把握することができる。
【００６５】
図４〜図５の動作フローでは、表示部１５０が消灯していることを前提に、表示部１５０によらず報知部１６０の報知出力でロック状態等を確認することを説明したが、表示部１５０が点灯している場合であっても、図４〜図５と同様の動作を実行して報知部１６０より報知を行っても差し支えはない。
【００６６】
以上のように、本実施の形態３に係る画像表示装置１００では、記憶部１４０が格納しているロック状態情報の内容を、図４で説明した動作フローにしたがって報知部１６０より報知するので、表示部１５０が点灯していなくても、画像表示装置１００が現在ロックされているか否かをユーザが把握することができ、ユーザにとって便宜である。
【００６７】
また、本実施の形態３に係る画像表示装置１００では、ロック設定やロック解除操作の進行状況を、図５で説明した動作フローにしたがって報知部１６０より報知するので、表示部１５０が点灯していなくても、上記操作が正常に完了したか否か等をユーザが把握することができ、ユーザにとって便宜である。
【００６８】
実施の形態４．
実施の形態３では、ＬＥＤを用いて報知部１６０を構成し、その点灯パターンや色でロック状態情報等の各種状態を報知することを説明した。
報知部１６０の構成はＬＥＤに限られるものではなく、例えばブザー音の音色やパターンのような音声報知により、ロック状態情報等の各種状態を報知するように構成することもできる。
ＬＥＤやブザー音以外の報知手法を用いることも可能であるが、表示部１５０が消灯していても各種状態を確認できるようにするという趣旨に鑑み、簡易な手段で報知を行うことのできる構成を採用することが望ましいであろう。
【００６９】
また、実施の形態１〜３では、操作パネル１１１よりロック設定／ロック解除などの各種操作入力を行うことを説明したが、例えばリモコンのような外部操作機器を用いてこれらの操作入力を行うように構成してもよい。
【００７０】
実施の形態５．
図６は、本発明の実施の形態５に係る画像表示装置１００の機能ブロック図である。
本実施の形態５に係る画像表示装置１００は、画像を表示する機能部として、実施の形態１の図１で説明した液晶ディスプレイ等から構成される表示部１５０に代えて、画像の投射を行う投射部１７０を備えた。
その他の構成は実施の形態１と概ね同様であるため、本実施の形態５では差異点を中心に説明する。なお、その他の実施の形態で説明した構成における表示部１５０に代えて投射部１７０を設けることもできることを付言しておく。
【００７１】
投射部１７０は、光源、光変調素子、投射光学系などの画像投射に必要な構成を適宜備え、画像信号処理部１３０より出力画像信号を受け取り、その画像をスクリーン２００に投射するものである。光変調素子としては、液晶ライトバルブや微小ミラーアレイデバイス等が用いられる。
【００７２】
以上のように、本実施の形態５に係る画像表示装置１００は、実施の形態１〜４で説明した画像表示装置１００と同等の機能を備え、入力画像信号に対応した画像を投射するプロジェクタとして用いることができる。
即ち、画像表示の手法として、実施の形態１〜２で説明したような画面表示の他に、その画像を投射するというバリエーションを設けることができる。
【図面の簡単な説明】
【００７３】
【図１】実施の形態１に係る画像表示装置１００の機能ブロック図である。
【図２】画像表示装置１００の外観図である。
【図３】実施の形態３に係る画像表示装置１００の機能ブロック図である。
【図４】ロック状態確認キーを押下した際の動作フローである。
【図５】ロック解除キーを押下した際の動作フローである。
【図６】実施の形態５に係る画像表示装置１００の機能ブロック図である。
【符号の説明】
【００７４】
１００  画像表示装置、１１１  操作パネル、１１２  操作信号処理部、１２０  制御部、１３０  画像信号処理部、１４０  記憶部、１５０  表示部、１６０  報知部、１７０  投射部。
【図１】
2009251264.tif 000003
【図２】
2009251264.tif 000004
【図３】
2009251264.tif 000005
【図４】
2009251264.tif 000006
【図５】
2009251264.tif 000007
【図６】
2009251264.tif 000008